(57)【要約】【課題】オペレータ端末がアクセスした対象の機器ではなく、その機器と通信可能に接続された他の機器に問題がある場合に、オペレータ端末がアクセスした対象の機器を利用することで、当該他の機器の設定操作や機器状況の閲覧を可能とする。ここで、サポート中の機器の外観をオペレータが把握して指示することを可能とする。【解決手段】携帯型端末１０は、オペレータ端末１５０からの指示に応じて、携帯型端末１０が接続されているローカルエリアネットワークに接続されている電化製品５０を検出し、検出された電化製品５０の機種関連情報を決定する。そして、携帯型端末１０は、決定された機種関連情報によって、オペレータ端末１５０から電化製品５０に対する設定操作や、電化製品５０の機器状況の閲覧を可能にする。ここで、機種関連情報に関連した画像又は映像を検索し、オペレータ端末に送信する。【選択図】図３
2014039153.tif 000002
【特許請求の範囲】
【請求項１】
ローカルエリアネットワークを介して電化製品と通信可能に接続され、かつ、公衆回線網を介して通信可能に接続されたオペレータ端末からリモートサポートを受ける携帯型端末と、
前記オペレータ端末と通信可能に接続されたオペレータサーバと、から構成されるオペレータシステムであって、
前記携帯型端末は、
前記オペレータ端末からの指示に応じて、当該携帯型端末が接続されているローカルエリアネットワークに接続されている電化製品を検出する電化製品検出手段と、
前記検出された電化製品の機種関連情報を決定する電化製品決定手段と、
前記オペレータ端末から、決定された前記機種関連情報に基づいて、前記電化製品の設定操作又は機器状況の閲覧のいずれかを可能にするオペレータ補佐手段と、を備え、
前記オペレータサーバは、
前記携帯型端末から前記電化製品の機種関連情報を受信し、受信した機種関連情報に関連した画像又は映像を検索し、前記オペレータ端末に送信する対応画像送信手段と、を備えるオペレータシステム。
【請求項２】
前記オペレータ端末は、前記オペレータサーバから受信した機種関連情報に関連した画像又は映像を出力する請求項１に記載のオペレータシステム。
【請求項３】
前記携帯型端末は、前記電化製品の画面情報を受信して、前記オペレータサーバに送信し、
前記オペレータサーバは、受信した前記電化製品の画面情報を、前記オペレータ端末に送信し、
前記オペレータ端末は、前記オペレータサーバから受信した機種関連情報に関連した画像と、前記電化製品の画面情報とを対応付けて出力する請求項１に記載のオペレータシステム。
【請求項４】
ローカルエリアネットワークを介して電化製品と通信可能に接続され、かつ、公衆回線網を介して通信可能に接続されたオペレータ端末からリモートサポートを受ける携帯型端末と、
前記オペレータ端末と通信可能に接続されたオペレータサーバと、から構成されるオペレータシステムが実行する方法であって、
前記携帯型端末が、
前記オペレータ端末からの指示に応じて、当該携帯型端末が接続されているローカルエリアネットワークに接続されている電化製品を検出するステップと、
前記検出された電化製品の機種関連情報を決定するステップと、
前記オペレータ端末から、決定された前記機種関連情報に基づいて、前記電化製品の設定操作又は機器状況の閲覧のいずれかを可能にするステップと、を実行し、
前記オペレータサーバが、
前記携帯型端末から前記電化製品の機種関連情報を受信し、受信した機種関連情報に関連した画像又は映像を検索し、前記オペレータ端末に送信するステップ、を実行する方法。
【発明の詳細な説明】
【技術分野】
【０００１】
本発明は、オペレータ端末と公衆回線網を介して接続されてリモートサポートを受けるオペレータシステム及び、オペレータ方法に関する。
【背景技術】
【０００２】
近年、公衆回線網に接続された携帯端末をＷｅｂサーバ等と接続することで、ユーザに様々なサービスが提供されている。特に、スマートフォン（高機能携帯電話）の登場により、従来、パソコンに対して行われていた高度なサービスを、携帯電話で行うことが可能になってきた。
【０００３】
また、サーバが提供するサービスではなく、スマートフォン単独でも、様々な機能がそれ自体に搭載されている。したがって、ユーザは、搭載されている全ての機能を熟知するには時間がかかることが多い。例えば、ユーザが所望する機能が、スマートフォンに搭載されていても、その機能を設定する方法が不明であるため、ユーザがその機能を活用することができないといった問題も生じている。
【０００４】
したがって、このような高度なＷｅｂサービスや、高度なスマートフォンの機能を最大限、利用するには、スマートフォンに対する設定操作や機能を、ユーザは熟知する必要がある。さらに、操作に不慣れなユーザが、端末に対して、初めての設定を行うと、削除すべきでない設定情報を削除してしまったり、適切でない設定を行うことでエラーを発生させてしまう場合も多い。
【０００５】
このような課題に対して、ユーザの端末に対して、システムからリモートサポート（遠隔保守）を行うことで、ユーザの端末を遠隔から設定したり、遠隔からユーザを指導する方法が知られている。例えば、特許文献１では、サポート対象となる各クライアントの画面情報をサーバ側で取得し、サーバでこの画面情報を、常時、一覧表示することで、クライアントに対するサポート及び監視の効率を向上させることが開示されている。
【先行技術文献】
【特許文献】
【０００６】
【特許文献１】特開２００３−６０６２号公報
【特許文献２】特開２０１１−０３４３１５号公報
【発明の概要】
【発明が解決しようとする課題】
【０００７】
一方、リモートサポートを行う端末から、サポートを受けるユーザ端末にリモートログイン等をして、リアルタイムで画面共有をすることで、リモート操作を行うことが知られている。すなわち、オペレータ端末に、ユーザ端末に表示されている画面を、逐次、転送して表示するとともに、オペレータ端末を操作すると、あたかも、ユーザ端末を操作しているかのように、入力操作（リモート操作）を行うことが可能となる。さらに、特許文献２では、携帯電話機を利用して、リモートサポートを行う方法が開示されている。
【０００８】
しかしながら、オペレータ端末を操作するオペレータが、リモートログインをした結果、リモートログインをしている機器に問題があるのではなく、リモートログインをしている機器に接続されている機器に問題がある場合がある。例えば、サポートを受けているスマートフォンを家庭内の無線ＬＡＮに接続する際に、ＳＳＩＤ（Ｓｅｒｖｉｃｅ  Ｓｅｔ  Ｉｄｅｎｔｉｆｉｅｒ）の設定をする必要があるが、この際に、無線ルータのＳＳＩＤ設定を閲覧し、操作する必要が生じる。しかし、スマートフォンだけにログインしていても、埒があかない。
【０００９】
そこで、本発明者は、サポート対象である機器（ここでは、スマートフォン）を利用して、この機器に通信可能に接続された機器の操作や閲覧ができないかという点に着目した。
【００１０】
一方、サポートするオペレータ端末は、リモートログインで、機器が出力している画面表示やインストールされているソフトウェアを認識することが可能ではあるが、サポートしている機器のハードウェアの情報は得ることができない。すなわち、機器の外観やＵＳＢ等の入出力端子の位置、無線ＬＡＮの電源、キーボードのキー配置、ボタンやスイッチの位置、形状などは、オペレータ側は即座に認識することができない。
【００１１】
本発明は、これらの課題に鑑み、オペレータ端末がアクセスした対象の機器ではなく、その機器と通信可能に接続された他の機器に問題がある場合に、オペレータ端末がアクセスした対象の機器を利用することで、当該他の機器の設定操作や機器状況の閲覧を可能とするオペレータシステム、オペレータ方法を提供することを目的とする。さらに、本発明では、サポート中の機器の外観をオペレータが把握して指示することが可能なオペレータシステム、オペレータ方法を提供することを目的とする。
【課題を解決するための手段】
【００１２】
本発明では、以下のような解決手段を提供する。
【００１３】
第１の特徴に係る発明は、ローカルエリアネットワークを介して電化製品と通信可能に接続され、かつ、公衆回線網を介して通信可能に接続されたオペレータ端末からリモートサポートを受ける携帯型端末と、前記オペレータ端末と通信可能に接続されたオペレータサーバと、から構成されるオペレータシステムであって、
前記携帯型端末は、
前記オペレータ端末からの指示に応じて、当該携帯型端末が接続されているローカルエリアネットワークに接続されている電化製品を検出する電化製品検出手段と、
前記検出された電化製品の機種関連情報を決定する電化製品決定手段と、
前記オペレータ端末から、決定された前記機種関連情報に基づいて、前記電化製品の設定操作又は機器状況の閲覧のいずれかを可能にするオペレータ補佐手段と、を備え、
前記オペレータサーバは、
前記携帯型端末から前記電化製品の機種関連情報を受信し、受信した機種関連情報に関連した画像又は映像を検索し、前記オペレータ端末に送信する対応画像送信手段と、を備えるオペレータシステムを提供する。
【００１４】
第１の特徴に係る発明によれば、ローカルエリアネットワークを介して電化製品と通信可能に接続され、かつ、公衆回線網を介して通信可能に接続されたオペレータ端末からリモートサポートを受ける携帯型端末は、オペレータ端末からの指示に応じて、当該携帯型端末が接続されているローカルエリアネットワークに接続されている電化製品を検出し、
検出された電化製品の機種関連情報を決定する。そして、携帯型端末は、オペレータ端末から、決定された機種関連情報に基づいて、電化製品の設定操作又は機器状況の閲覧のいずれかを可能にする。ここで、機種関連情報に関連した画像又は映像を検索し、オペレータ端末に送信する。
【００１５】
したがって、オペレータは、オペレータ端末がアクセスした対象の機器ではなく、その機器と通信可能に接続された他の機器に問題がある場合に、オペレータ端末がアクセスした対象の機器を利用することで、当該他の機器の設定操作や機器状況の閲覧を可能とする。さらに、オペレータ端末には、機種関連情報に関連した画像又は映像が送信されるために、例えば、サポートされる電化製品の外観などの画像をオペレータ端末に出力することが可能となる。
【００１６】
第１の特徴に係る発明は、オペレータシステムのカテゴリであるが、オペレータ方法であっても同様の作用、効果を奏する。
【００１７】
第２の特徴に係る発明によれば、第１の特徴に係る発明であって、前記オペレータ端末は、前記オペレータサーバから受信した機種関連情報に関連した画像又は映像を出力するオペレータシステムを提供する。
【発明の効果】
【００１８】
本発明によれば、オペレータは、オペレータ端末がアクセスした対象の機器ではなく、その機器と通信可能に接続された他の機器に問題がある場合に、オペレータ端末がアクセスした対象の機器を利用することで、当該他の機器の設定操作や機器状況の閲覧を可能とする。さらに、オペレータ端末には、機種関連情報に関連した画像又は映像が送信されるために、例えば、サポートされる電化製品の外観などの画像をオペレータ端末に出力することが可能となる。
【図面の簡単な説明】
【００１９】
【図１】図１は、オペレータシステム１の全体構成図である。
【図２】図２は、オペレータサーバ２００、携帯型端末１０、オペレータ端末１５０の機能ブロック図である。
【図３】図３は、オペレータサーバ２００、携帯型端末１０、オペレータ端末１５０が実行するリモートサポート処理を示すフローチャート図である。
【図４】図４は、携帯型端末１０、電化製品５０が実行する電化製品アクセス処理を示すフローチャート図である。
【図５】図５は、オペレータ端末１５０に表示される画面イメージ図（サポート情報画面）である。
【図６】図６は、オペレータ端末１５０に表示される画面イメージ図（ネットワークマップ画面）である。
【図７】図７は、オペレータ端末１５０に表示される画面イメージ図（ネットワークマップ画面：機器情報アイコンを含む）である。
【図８】図８は、オペレータサーバ２００が記憶する設定ページアドレスリストである。
【図９】図９は、オペレータサーバ２００、携帯型端末１０、電化製品５０が実行する設定ページ取得処理を示すフローチャート図である。
【図１０】図１０は、オペレータ端末１５０に表示される画面イメージ図（設定ページ）である。
【図１１】図１１は、携帯型端末１０に表示される画面イメージ図（設定ページ）である。
【図１２】図１２は、携帯型端末１０が実現するプロキシ機能を説明するための概念図である。
【図１３】図１３は、オペレータ端末１５０に表示される画面イメージ図（機器外観画像、ユーザ画面イメージを含む）である。
【図１４】図１４は、オペレータ端末１５０に表示される画面イメージ図（機器外観画像とユーザ画面イメージが対応付けられて表示された例）である。
【図１５】図１５は、オペレータサーバ２００が記憶する対応画像テーブルである。
【発明を実施するための形態】
【００２０】
以下、本発明を実施するための最良の形態について図を参照しながら説明する。なお、これはあくまでも一例であって、本発明の技術的範囲はこれに限られるものではない。
【００２１】
［オペレータシステムのシステム構成］
図１は、本発明の好適な実施形態であるオペレータシステム１のシステム構成図である。オペレータシステム１は、携帯型端末１０、電化製品５０ａ，ｂ，ｃ（以下、明示しない限りは単に「５０」とする）、オペレータサーバ２００、公衆回線網３（インターネット網や第３世代、第４世代通信網など）、オペレータ端末１５０から構成される。
【００２２】
携帯型端末１０は、公衆回線網３を介して、オペレータサーバ２００と通信可能に接続されている。携帯型端末１０と各電化製品５０は、ＬＡＮ（Ｌｏｃａｌ  Ａｒｅａ  Ｎｅｔｗｏｒｋ）で接続されている。携帯型端末１０は、オペレータサーバ２００又はオペレータ端末１５０とは、公衆回線網３を介して接続される。オペレータサーバ２００とオペレータ端末１５０は、ローカルエリアネットワークで接続されていてもよいし、公衆回線網３を介して接続されていてもよい。オペレータシステム１内の通信は、無線通信、有線通信を問わない。携帯型端末１０が公衆回線網３と接続するために、ルータ等のネットワーク機器を介して通信可能であってよい。
【００２３】
携帯型端末１０は、ユーザがサポートを受けるための一般的な情報端末であってよく、後述する機能を備える情報機器や電化製品である。携帯型端末１０は、例えば、携帯電話、スマートフォン１０ｂ、複合型プリンタ、テレビ１０ａ、ルータ又はゲートウェイ等のネットワーク機器、コンピュータ１０ｃに加えて、冷蔵庫、洗濯機等の白物家電であってもよいし、電話機、ネットブック端末、スレート端末、電子書籍端末、電子辞書端末、携帯型音楽プレーヤ、携帯型コンテンツ再生・録画プレーヤ等の一般的な情報家電であってよい。
【００２４】
電化製品５０は、データ通信を行うことが可能な家庭用又は業務用の電化製品であって、例えば、パソコン５０ｃ、テレビ５０ｂ、電話機、コンピュータに加えて、携帯電話、携帯情報端末、ネットブック端末、スレート端末、電子書籍端末、携帯型音楽プレーヤ、オーディオコンポ、コンテンツ再生・録画プレーヤ、プリンタ、ＦＡＸ機、コピー機、スキャナ機、ＭＦＰ（多機能周辺装置、多機能プリンタ）等の情報家電のみならず、冷蔵庫、洗濯機、食器洗浄乾燥機、扇風機、エアコン、電気ストーブ、炊飯器、電子レンジ等の白物家電や、電気照明、サーバ、ルータ５０ａ、ゲートウェイ、ＮＡＳ（Ｎｅｔｗｏｒｋ  Ａｔｔａｃｈｅｄ  Ｓｔｏｒａｇｅ）等も含む。
【００２５】
オペレータ端末１５０は、携帯型端末１０に対してサポートを行うオペレータが使用する一般的な情報端末である。
【００２６】
オペレータサーバ２００は、携帯型端末１０とオペレータ端末１５０とのデータ処理を中継し、各種処理を行うサーバである。
【００２７】
［各機能の説明］
図２は、オペレータ端末１５０、オペレータサーバ２００、携帯型端末１０の機能ブロックと各機能の関係を示す図である。
【００２８】
携帯型端末１０、オペレータ端末１５０は、制御部として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える（有線によるＬＡＮ接続であってもよい）。
【００２９】
さらに、携帯型端末１０及びオペレータ端末１５０は、出力・入力部として、制御部で制御したデータや画像を出力表示する表示部を備え、かつ、ユーザやサポート者からの入力を受付けるタッチパネルやキーボード、マウス等を備える。加えて、携帯型端末１０及びオペレータ端末１５０は、記憶部として、ハードディスクや半導体メモリによる、データのストレージ部を備える。
【００３０】
携帯型端末１０において、制御部が所定のプログラムを読み込むことで、通信部、出力・入力部、記憶部と協働して、電化製品アクセスモジュール１３、リモートサポートモジュール１５を実現する。電化製品アクセスモジュール１３は、通信可能に接続された電化製品５０を検出する電化製品検出モジュール１１と、検出した電化製品５０を決定する電化製品決定モジュール１２とから構成される。リモートサポートモジュール１５は、オペレータの操作を補佐するためのオペレータ補佐モジュール１６を備える。
【００３１】
電化製品５０は、同様に、制御部として、ＣＰＵ，ＲＡＭ，ＲＯＭ等を備え、通信部として、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。加えて、電化製品５０は、記憶部として、ハードディスクや半導体メモリによる、データのストレージ部を備えてよい。
【００３２】
さらに、電化製品５０は、出力・入力部として、制御部で制御したデータや画像を出力表示する表示部を備えてもよいし、ユーザやサポート者からの入力を受付けるタッチパネルやキーボード、マウス等を備えてもよい。
【００３３】
電化製品５０において、制御部が所定のプログラムを読み込むことで、通信部、出力・入力部、記憶部と協働して、携帯型端末１０から送信されたパケットに対して応答をするレスポンスモジュール５１、後述する設定ページを提供する設定ページ提供モジュール５２、電化製品５０の機器状況を携帯型端末１０に送信する機器状況送信モジュール５３、所定のプログラムを実行するプログラム実行モジュール５４を実現する。
【００３４】
オペレータサーバ２００は、同様に、制御部として、ＣＰＵ，ＲＡＭ，ＲＯＭ等を備え、通信部として、例えば、ＩＥＥＥ８０２．１１に準拠したＷｉＦｉ対応デバイスを備える（有線であってもよい）。加えて、オペレータサーバ２００は、記憶部として、ハードディスクや半導体メモリによる、データのストレージ部を備える。
【００３５】
オペレータサーバ２００の制御部が所定のプログラムを読み込むことで、通信部、記憶部と協働して、オペレータがオペレータ端末１５０を利用してリモートサポートを実行するためのリモートサポートモジュール２０１を実現する。リモートサポートモジュール２０１は、オペレータ端末１５０からの操作を受付ける設定操作受付モジュール２０２と、携帯型端末１０が属するローカルエリアネットワークのネットワークマップを生成するネットワークマップ生成モジュール２０３と、後述する設定ページを表示するための設定ページ表示モジュール２０４と、対応画像検索モジュール２０５と、から構成される。
【００３６】
［リモートサポート処理］
図３は、携帯型端末１０、オペレータサーバ２００、オペレータ端末１５０が実行するリモートサポート処理のフローチャートである。上述した各装置のモジュールが行う処理について、本処理にて併せて説明する。
【００３７】
携帯型端末１０は、ユーザからサポートを要求する操作を受付ける（ステップＳ０１）。携帯型端末１０には、例えば、リモートサポートを受けるためのアプリケーションがインストールされており、このアプリケーションを起動する操作をユーザから受付けたり、所定の携帯型端末１０から所定のＷｅｂページにアクセスしたり、メッセージを送信することで、サポートをオペレータサーバ２００に要求する。
【００３８】
携帯型端末１０が、ユーザからサポートを要求する操作を受付けた場合（ステップＳ０１：「ＹＥＳ」）には、携帯型端末１０は、オペレータサーバ２００に接続して、サポート要求があった旨をオペレータサーバ２００に通知して、ステップＳ０２に処理を移す。携帯型端末１０が、ユーザからサポートを要求する操作を受付けない場合（ステップＳ０１：「ＮＯ」）は、ステップＳ０１の処理をループする。
【００３９】
次に、オペレータサーバ２００のリモートサポートモジュール２０１は、オペレータ端末１５０にサポート要求に対する受付けを行う（ステップＳ０２）。すなわち、リモートサポートモジュール２０１は、一又は複数のオペレータ端末１５０にサポート要求があったことを通知して、オペレータ端末１５０からのリモートサポートの開始指示を受付ける。
【００４０】
次に、オペレータ端末１５０は、オペレータから携帯型端末１０に対してリモートサポート開始指示を受けると（ステップＳ０３）、オペレータサーバ２００は、当該オペレータ端末１５０と携帯型端末１０を接続する。ここで、一般的な端末へのリモートログインによるオペレータからのリモート操作のように、携帯型端末１０の表示部に表示されている画面情報が、オペレータ端末１５０にて視認可能になってもよいし、携帯型端末１０をオペレータ端末１５０から遠隔操作可能となってもよい。
【００４１】
本処理までで、オペレータ端末１５０は、携帯型端末１０に対するサポート処理を実行することが可能となる。例えば、オペレータ端末１５０の表示部には、図５に示すようなサポート情報６１が表示される。すなわち、携帯型端末１０のユーザが、ユーザ登録を予め行なっていることで、お客様情報が出力されたり、携帯型端末１０の表示部に表示された画面情報が表示される。しかし、オペレータが携帯型端末１０をサポートしている際に、携帯型端末１０と通信可能に接続された電化製品５０に不具合の原因があるとする。例えば、携帯型端末１０がインターネットに接続できない場合に、携帯型端末１０の通信設定は問題がないが、電化製品５０であるルータ５０ａに設定の問題があるとする。この場合の処理について、以下で説明する。
【００４２】
オペレータ端末１５０は、オペレータから電化製品５０（この場合は、ルータ５０ａ）に対する閲覧指示を受付ける（ステップＳ０４）。閲覧指示とは、携帯型端末１０と通信可能に接続された電化製品５０の情報を閲覧するためにオペレータから受付ける指示である。閲覧指示の一例としては、電化製品５０を含むネットワークマップの閲覧指示が該当する。例えば、オペレータは、図５のサポート情報６１とは異なるウィンドウ（タブ）に、携帯型端末１０が接続されたネットワークのネットワークマップを閲覧するために、オペレータ端末１５０に閲覧指示をする。また、ネットワークマップの閲覧指示に限らず、単に、電化製品５０の閲覧指示を受付けてもよい。
【００４３】
オペレータ端末１５０は、オペレータから電化製品５０に対する閲覧指示を受付けた場合（ステップＳ０４：「ＹＥＳ」）は、ステップＳ０５に処理を移す。オペレータから電化製品５０に対する閲覧指示を受付けるまで（ステップＳ０４：「ＮＯ」）は、ステップＳ０４を繰り返すことで、処理待ちとなる。
【００４４】
次に、オペレータサーバ２００のリモートサポートモジュール２０１は、携帯型端末１０の電化製品アクセスモジュール１３に対して、電化製品検出指示を行う（ステップＳ０５）。電化製品検出指示とは、携帯型端末１０とローカルエリアネットワークを介して通信可能に接続された電化製品５０を携帯型端末１０の電化製品検出モジュール１１に検出するように指示する処理である。
【００４５】
携帯型端末１０の電化製品アクセスモジュール１３は、電化製品検出指示をオペレータサーバ２００より受けて、電化製品アクセス処理を実行する（ステップＳ０６）。電化製品アクセス処理は、携帯型端末１０と電化製品５０が実行する処理で、図４に基づいて説明する。
【００４６】
［電化製品アクセス処理］
電化製品アクセス処理は、携帯型端末１０が、所定のパケットを送受信することで、電化製品５０の機種関連情報を決定する処理である。機種関連情報とは、電化製品５０の機種名、メーカ名等の機器の種別の情報である。本処理は、特開２０１０−９７５８７号公報に開示されるような、ネットワークで接続された電化製品の種別をパケットの送受信で決定する処理が用いられてよい。以下では、この出願で開示される方法で、機種関連情報を決定する処理について説明する。
【００４７】
携帯型端末１０の電化製品検出モジュール１１は、電化製品５０に対して、検出パケットを送信する（ステップＳ２０）。検出パケットは、Ｐｉｎｇ等のコマンドから送信されるパケットであってよい。検出パケットを受信した各電化製品５０は、送信されたパケットに対して、ＩＰアドレスを応答することで、検出応答処理を行う（ステップＳ２１）。
【００４８】
電化製品５０を検出した後に、携帯型端末１０の電化製品決定モジュール１２は、検出された電化製品５０に対して、リクエストパケットを送信する（ステップＳ２２）。リクエストパケットとは、携帯型端末１０が電化製品５０の機種関連情報を決定するためのパケットである。
【００４９】
リクエストパケットは、例えば、ＡＲＰ（Ａｄｄｒｅｓｓ  Ｒｅｓｏｌｕｔｉｏｎ  Ｐｒｏｔｏｃｏｌ）、ＮＥＴＳＴＡＴ、ＩＣＭＰ（Ｉｎｔｅｒｎｅｔ  Ｃｏｎｔｒｏｌ  Ｍｅｓｓａｇｅ  Ｐｒｏｔｏｃｏｌ）、ＳＮＭＰ（Ｓｉｍｐｌｅ  Ｎｅｔｗｏｒｋ  Ｍａｎｅｇｅｍｅｎｔ  Ｐｒｏｃｏｌ）等のコマンドであってよく、ｕＰｎＰ（Ｕｎｉｖｅｒｓａｌ  Ｐｌｕｇ  ａｎｄ  Ｐｌａｙ）、ＤＬＮＡ（Ｄｉｇｉｔａｌ  Ｌｉｖｉｎｇ  Ｎｅｔｗｏｒｋ  Ａｌｌｉａｎｃｅ）準拠のプロトコルであってよい。
【００５０】
電化製品５０は、送信されたリクエストパケットに対して、レスポンスパケットを送信する（ステップＳ２３）。例えば、ＡＲＰコマンドの応答として、ＭＡＣアドレス（Ｍｅｄｉａ  Ａｃｃｅｓｓ  Ｃｏｎｔｒｏｌ  Ａｄｄｒｅｓｓ）をレスポンスとして取得する。また、ＮＥＴＳＴＡＴＡのコマンドにより、ＴＣＰ／ＩＰポートの使用中のポート番号やポート占有率が判明する。
【００５１】
携帯型端末１０の電化製品決定モジュール１２は、これらのリクエストパケットに基づいて、リクエストパケットを受信した電化製品５０の機種関連情報を決定する（ステップＳ２４）。機種関連情報の決定は、レスポンスパケットの得点化により決定される。
【００５２】
一例として、電化製品５０の機種関連情報が、機種名Ａ又は機種名Ｂのいずれかであるかを決定することについて説明する。機種名Ａ、Ｂには、予め、この機種であれば受信するレスポンスパケットと対応する得点とが、定義ファイルとして記憶されている。例えば、機種名Ａであれば、リクエストパケット（ＮＥＴＳＴＡＴ）に対して、レスポンスパケット（ＴＣＰポートの５０００番は使用中）で、このようなレスポンスパケットを受信した場合は、得点を１加点するが、他のレスポンスであれば０点であるという定義が、複数のリクエストパケット（ＮＥＴＳＴＡＴのみならず、ＡＲＰ等の他のレスポンスパケット）に対して、定義ファイルに決定されている。ここで、電化製品５０から受信したレスポンスパケットに対して、機種名Ａの定義ファイルと機種名Ｂの定義ファイルのぞれぞれの定義で、得点化を行ない、得点が高い定義ファイルの機種名を、機種関連情報と決定する。
【００５３】
例えば、機種名Ａであれば、リクエストパケット（ＮＥＴＳＴＡＴ）に対して、レスポンスパケット（ＴＣＰポートの５０００番は使用中）で、このようなレスポンスパケットを受信した場合は、得点を１加点するが、他のレスポンスであれば０点であるという定義であり、一方、機種名Ｂであれば、リクエストパケット（ＮＥＴＳＴＡＴ）に対して、レスポンスパケット（ＴＣＰポートの５０００番は未使用）で、このようなレスポンスパケットを受信した場合は、得点を１加点するが、他のレスポンスであれば０点であるという定義であるとする。
【００５４】
この場合に、電化製品５０から、レスポンスパケット（ＴＣＰポートの５０００番は未使用）を受信した場合は、機種名Ａの定義ファイルで算出すると０点で、機種名Ｂの定義ファイルで算出すると、１点であるから、機種名Ｂが機種関連情報であると決定する。この例では、リクエストパケットが、ＮＥＴＳＴＡＴのみで機種名Ｂを決定しているが、他のリクエストパケット（例えば、ＡＲＰ）も同様に、得点化され、ＮＥＴＳＴＡＴの得点とＡＲＰの得点との総得点で、機種関連情報が決定される。
【００５５】
なお、上述の定義ファイルが、携帯型端末１０に記憶されているのではなく、オペレータサーバ２００に記憶されており、携帯型端末１０が電化製品５０から受信したレスポンスパケットを、オペレータサーバ２００に送信して、オペレータサーバ２００に対して、機種関連情報を要求してもよい。この場合は、オペレータサーバ２００が、要求に応じて、機種関連情報を決定する。そして、オペレータサーバ２００が決定した機種関連情報を、携帯型端末１０の電化製品決定モジュール１２が取得して、その後の処理を行う。一方、オペレータサーバ２００により決定された機種関連情報が、携帯型端末１０に送信されることなく、オペレータサーバ２００が、ステップＳ０８からのネットワークマップ生成処理を実行してよい。
【００５６】
携帯型端末１０のオペレータ補佐モジュール１６は、機種関連情報を決定すると、オペレータサーバ２００に、これを送信する（ステップＳ０７）。複数の電化製品５０に対して、機種関連情報が決定されている場合には、個々の電化製品５０の機種関連情報を送信する。
【００５７】
オペレータサーバ２００のネットワークマップ生成モジュール２０３は、機種関連情報に基づいて、ネットワークマップを生成する（ステップＳ０８）。オペレータサーバ２００には、予め、ネットワークマップに表示する電化製品のためのアイコン（以下、「電化製品アイコン））が、機種関連情報と対応付けて記憶されている。したがって、受信した機種関連情報に基づいて、対応する電化製品アイコンを抽出して、ネットワークマップを生成する。また、ローカルエリアネットワークで接続されている電化製品５０を円等で表し、公衆回線網３と接続されている場合は、雲等のアイコンを用いる。オペレータサーバ２００は、生成したネットワークマップをオペレータ端末１５０に送信する。
【００５８】
オペレータ端末１５０は、送信されたネットワークマップを受信し、表示する（ステップＳ０９）。一例として、ネットワークマップは、図６に示すように構成される。オペレータ端末１５０には、リモートサポートウィンドウ内に、複数のウィンドウタブが設けられて、サポート情報６１、ネットワークマップ６２が設けられて、オペレータの選択により、表示選択が可能となっている。ネットワークマップは、電化製品アイコン７０ａ〜ｂで表示される。例えば、ルータ５０ａは、機種関連情報が「ＮＷ―０１」と決定され、これに対応する電化製品アイコン７０ａが表示されている。また、携帯型端末１０も、アイコン８０により表示されてよい。
【００５９】
なお、図７に示すように、ネットワークマップ上に、各電化製品５０、携帯型端末１０の機器状況が、対応する機器のアイコンの周辺に表示されてよい。機器状況とは、当該機器の情報であって、例えば、電化製品５０の不具合状況、プログラム等の実行状況や、プログラムのインストール進行状況、後述する設定ページの有無、電化製品５０を説明する簡易情報である。後述する設定ページでは、機器状況では、電化製品５０の設定状況を含む。
【００６０】
例えば、携帯型端末１０は、電化製品５０を検出したにも関わらず、機種関連情報を決定できなかった場合がある。この場合は、この電化製品５０は、機種関連情報を決定できない不具合があったことを示すために、不明アイコン７２を電化製品アイコン７０ｃに表示する。また、機種関連情報を決定できなかったが、リクエストパケットにより、電化製品５０から取得した情報を簡易情報として表示する。これを、例えば、簡易情報の有無を示すアイコン７１としてネットワークマップに表示したり、簡易情報そのものをネットワークマップ上に表示する。
【００６１】
なお、機器状況の取得については、電化製品５０に予めインストールされたプログラムである機器状況送信モジュール５３を利用してもよい。機器状況送信モジュール５３は、定期的に、電化製品５０の機器状況を取得して、携帯型端末１０に送信する機能を有する。
【００６２】
一方、後述するように、電化製品５０に対応する設定ページが存在する場合には、設定ページアイコン７３を表示する。また、電化製品５０に所定のプログラムを実行していたり、インストールしている場合には、そのインストールや実行の進捗を示すグラフをアイコン８１として表示する。
【００６３】
次に、オペレータサーバ２００の対応画像検索モジュール２０５は、受信した機種関連情報に基づいて、対応画像検索処理を実行する（ステップＳ１０）。オペレータサーバ２００は、予め、電化製品５０毎に対応する画像、映像が記憶されている。そして、受信した機種関連情報に基づいて、図１５に示す対応画像テーブルを参照して、画像又は映像を検索し、抽出する。ここで、対応画像検索処理は、インターネットにおいて、機種関連情報で検索した画像又は映像を抽出してもよい。
【００６４】
次に、対応画像検索モジュール２０５は、抽出した画像又は映像をオペレータ端末１５０に送信し、これを受信したオペレータ端末１５０が、この画像又は映像を出力表示する（ステップＳ１１）。図１３に示すように、オペレータ端末１５０には、機種関連情報に該当する電化製品５０の正面の外観画像９２や、右側面の外観画像９４が表示される。これにより、サポートする電化製品５０の外観や、側面に配備された入出力インターフェースの位置や数を、オペレータが把握することができる。
【００６５】
［設定ページ取得処理］
次に、オペレータサーバ２００と携帯型端末１０、電化製品５０は、設定ページ取得処理を実行する（ステップＳ１２）。
【００６６】
設定ページは、電化製品５０が提供するＷｅｂページであって、電化製品５０の機器状況の閲覧、設定操作を可能にする。例えば、ルータ５０ａでは、自身がローカルのＷｅｂサーバとして機能することで、他の機器からルータ５０ａの設定ページの閲覧、入力が可能となる。
【００６７】
すなわち、ルータ５０ａにローカルエリアネットワークで通信可能に接続されたパソコン５０ｃのＷｅｂブラウザに、このルータ５０ａがプレイベートアドレスとして提供するＵＲＬアドレス又はＩＰアドレスを入力することで、これを検知したルータ５０ａが設定ページを、パソコン５０ｃのＷｅｂブラウザに表示する。ユーザはＷｅｂブラウザを介して、設定ページの閲覧、入力が可能となる。後述するように、通常、設定ページは、公衆回線網３を介して接続する機器（グローバルアドレスのみを有する機器）からは、閲覧、入力することができない。
【００６８】
最初に、オペレータサーバ２００の設定ページ表示モジュール２０４は、図８に示すような設定ページアドレスリストを参照して、携帯型端末１０から送信された機種関連情報に基づいて、設定ページアドレスを検索する（ステップＳ３０）。設定ページアドレスリストは、機種関連情報と設定ページのＵＲＬアドレス又はＩＰアドレスが対応づけられたリストである。例えば、機種関連情報が「ＮＷ―０１」の場合は、設定ページアドレスは、「http://192.168.1.1」となる。
【００６９】
また、図８に示すように、機種関連情報と設定ページのＵＲＬアドレス又はＩＰアドレス、さらに、設定ページの閲覧及び入力を行うための、ＩＤとパスワードが対応付けられていてもよい。これらのＩＤとパスワードは、電化製品５０にデフォルトで設定されているものであって、マニュアル等に記載されているＩＤとパスワードであってよい。これを用いることで、ユーザが、デフォルトのＩＤとパスワードを知らない場合であっても、設定ページの閲覧、入力が可能となる。
【００７０】
次に、オペレータサーバ２００の設定操作受付モジュール２０２は、設定ページアドレスを携帯型端末１０に送信する。この際に、設定ページアドレスリストにＩＤとパスワードが記憶されている場合は、このＩＤとパスワードをあわせて送信する。この場合は、次のステップＳ３１を実行しない。
【００７１】
設定ページアドレスリストにＩＤとパスワードが記憶されていない場合には、携帯型端末１０の設定ページ提供モジュール５２は、携帯型端末１０自身に記憶されたＩＤとパスワードを取得する（ステップＳ３１）。すなわち、この場合は、ユーザは、設定ページのＩＤとパスワードを携帯型端末１０に記憶させている。
【００７２】
携帯型端末１０のオペレータ補佐モジュール１６は、受信した設定ページアドレスに基づいて電化製品５０にアクセスする（ステップＳ３２）。これに応じて、電化製品５０の設定ページ提供モジュール５２は、Ｗｅｂサーバとして機能して、設定ページを携帯型端末１０に送信する（ステップＳ３３）。携帯型端末１０は、設定ページを受信すると、取得したＩＤとパスワードを入力して、電化製品５０へ応答し、設定ページへのログインの処理を行う。
【００７３】
次に、携帯型端末１０は、設定ページをプロキシ処理でオペレータサーバ２００に送信する（ステップＳ３４）。このプロキシ処理を、図１２を用いて説明する。電化製品５０は、ローカルエリアネットワークで携帯型端末１０と接続されており、電化製品５０はプライベートアドレス（１９２．１６８．１．１）を有し、携帯型端末１０はプライベートアドレス（１９２．１６８．１．５０）を有する。設定ページのデータは、送信元が電化製品５０のデータＡとして、携帯型端末１０にプライベートアドレスを利用して送信される。
【００７４】
一方、携帯型端末１０とオペレータサーバ２００は、公衆回線網３により接続されており、グローバルアドレスにより接続されている。携帯型端末１０は、グローバルアドレス（２１０．０．０．２１８）を有し、オペレータサーバ２００は、グローバルアドレス（２１０．０．０．１）を有する。携帯型端末１０は、データＡをデータＢとして、送信元を携帯型端末１０に変更し、グローバルアドレスを利用して、オペレータサーバ２００に送信する。
【００７５】
オペレータサーバ２００は、このプロキシ処理により、設定ページを受信し（ステップＳ３５）、オペレータ端末１５０に設定ページを送信する（ステップＳ３６）。
【００７６】
図３のリモートサポート処理に戻り、オペレータ端末１５０は、受信した設定ページの表示処理を行う（ステップＳ１３）。これに対して、オペレータ端末１５０は、オペレータから設定操作を受付けて（ステップＳ１４）、これをオペレータサーバ２００が受信し、携帯型端末１０に設定操作の指示を行う（ステップＳ１５）。そして、携帯型端末１０が指示された設定操作を反映する（ステップＳ１６）。
【００７７】
図１０にて、オペレータ端末１５０に表示される設定ページの画面イメージを示す。オペレータ端末１５０には、リモートサポートウィンドウ内に、複数のウィンドウタブが設けられて、サポート情報６１、ネットワークマップ６２に加えて、設定ページ６３が設けられて、オペレータの選択により、設定ページの表示が可能となっている。
【００７８】
図１０に示す設定ページは、ルータ５０ａである機種名「ＮＷ―０１」のネットワーク設定ページとなっている。このページにより、ルータ５０ａの機器状況の閲覧と設定操作を行うことが可能となる。例えば、ルータ５０ａの場合は、「無線ＬＡＮアクセスポイントの設定」、「ＳＳＩＤ設定」等の機器状況の閲覧と設定操作が可能になる。
【００７９】
上記の説明では、携帯型端末１０が実行するプロキシ処理により、設定ページの閲覧を可能としたが、のオペレータ補佐モジュール１６が実現する画面転送機能により、設定ページの閲覧を可能としてよい。すなわち、図１１に示すように、携帯型端末１０においても、設定ページの閲覧、入力が可能である場合に、この画面情報をオペレータサーバ２００に転送する。画面情報をデータとしてオペレータサーバ２００に送信することで、携帯型端末１０にて設定ページを表示することなく、転送のみが有効となってもよい。また、オペレータ端末１５０からの入力情報を、携帯型端末１０を介して、電化製品５０に送信して、設定操作を可能にする。
【００８０】
次に、オペレータ端末１５０が電化製品５０に対して行うリモートログイン処理について説明する。最初に、携帯型端末１０は、電化製品５０から電化製品５０が出力する画面情報を取得する。そして、携帯型端末１０は、取得した画面情報を、オペレータサーバ２００（又はオペレータ端末１５０）に送信する（ステップＳ１７）。オペレータサーバ２００は、受信した画面情報をオペレータ端末１５０に転送する（ステップＳ１８）。これに応じて、オペレータ端末１５０は、携帯型端末１０又はオペレータサーバ２００から受信した画面情報を表示する（ステップＳ１９）。
【００８１】
なお、リモートログインとして、オペレータ端末１５０が電化製品５０に対する操作が電化製品５０の入力処理に反映される処理は、設定操作の反映処理で説明したステップＳ１４からＳ１６の処理と同様であるために、省略する。
【００８２】
オペレータ端末１５０が受信した画面情報は、図１３のユーザ画面イメージ９３に示すように、表示されてもよいし、図１４のユーザ画面イメージ９７に示すように表示されてよい。ここで、図１４においては、ユーザ画面イメージ９７に、サポートしている電化製品５０の対応画像９６が対応付けられて表示されている。すなわち、対応画像検索モジュール２０５が、この電化製品５０に対応する画像を抽出し、電化製品５０（スマートフォン）の正面画像（対応画像９６）を表示する。この正面画像のディスプレイ部分に、ユーザ画面イメージ９７をあわせて表示する。これにより、オペレータは、実際にユーザの電化製品５０を視認しているかのように、指示することが可能となる。
【００８３】
なお、電化製品５０に対してプログラムをインストールしたり、所定のデータを設定するコマンドを、オペレータサーバ２００から受信して、携帯型端末１０を介して、電化製品５０にて実行してもよい。すなわち、オペレータから、オペレータ端末１５０に表示されたネットワークマップに対して、電化製品アイコンに対して、所定のプログラムのインストールの操作やデータの設定の操作を受けることで、オペレータサーバ２００が、所定のコマンドを電化製品５０に送信する。
【００８４】
この際、オペレータサーバ２００はインストールするプログラムを他のサーバから受信してもよいし、電化製品５０から自らプログラムをダウンロードするように、コマンドを送信してもよい。また、所定のデータを設定するコマンドは、予めオペレータサーバ２００に記憶されていてよい。この所定のデータを設定するコマンドとは、例えば、電化製品５０がプリンタの場合に、白黒印刷とカラー印刷の切替えであってよい。
【００８５】
また、オペレータ端末１５０が、オペレータから、ネットワークマップに表示されている複数の電化製品５０の指定を同時に受付けることで、複数の電化製品５０に対して、所定のプログラムがインストールされてよい。
【００８６】
なお、本発明のオペレータとは、通信事業者や電化製品５０の製造メーカに限定されることなく、企業等でサーバ等を管理する情報システム管理者であってもよい。この場合には、所定のデータを設定するコマンドとは、電化製品５０を利用するユーザの権限制御を設定するコマンドであってよい。すなわち、ネットワークマップに対して、オペレータ端末１５０から権限を設定する操作を受付け、対応するコマンドをオペレータサーバ１００が読出して、電化製品５０に送信し、設定する。
【００８７】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００８８】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００８９】
１  オペレータシステム、３  公衆回線網、１０  携帯型端末、２００  オペレータサーバ、１５０  オペレータ端末
【図１】
2014039153.tif 000003
【図２】
2014039153.tif 000004
【図３】
2014039153.tif 000005
【図４】
2014039153.tif 000006
【図５】
2014039153.tif 000007
【図６】
2014039153.tif 000008
【図７】
2014039153.tif 000009
【図８】
2014039153.tif 000010
【図９】
2014039153.tif 000011
【図１０】
2014039153.tif 000012
【図１１】
2014039153.tif 000013
【図１２】
2014039153.tif 000014
【図１３】
2014039153.tif 000015
【図１４】
2014039153.tif 000016
【図１５】
2014039153.tif 000017